(57)【要約】【課題】  固定部を備える駆動対象部に起因する異常を的確に報知する。【解決手段】  駆動対象部の起動動作が初回起動動作である場合に、異常が発生したか否かを判断する。判断の結果、前記異常が前記固定部を備える駆動対象部に起因する異常であると判断した場合、その旨に関する異常報知情報を出力する。【選択図】  図４
2015147323.tif 000002
【特許請求の範囲】
【請求項１】
装置内の駆動対象部を固定するための固定部を備える装置であって、
前記駆動対象部の起動動作が初回起動動作である場合に、異常が発生したか否かを判断する判断手段と、
前記判断手段の判断の結果、前記異常が前記固定部を備える駆動対象部に起因する異常であると判断した場合、その旨に関する異常報知情報を出力する出力手段と
を備えることを特徴とする装置。
【請求項２】
前記出力手段は、前記異常報知情報を表示部に出力する
ことを特徴とする請求項１に記載の装置。
【請求項３】
前記駆動対象部の起動動作が初回起動動作であることを示す動作情報を記憶する記憶手段を更に備える
ことを特徴とする請求項１に記載の装置。
【請求項４】
前記判断手段の判断の結果、前記異常が前記固定部を備える駆動対象部に起因する異常でない場合、前記動作情報をクリアするクリア手段を更に備える
ことを特徴とする請求項３に記載の装置。
【請求項５】
前記記憶手段は、前記動作情報を、前記判断手段の判断対象となる駆動対象部それぞれについて記憶する
ことを特徴とする請求項３または４に記載の装置。
【請求項６】
前記装置は、少なくとも１つの周辺装置に接続されて構成されるシステムであり、
前記判断手段は、当該装置、あるいは前記少なくとも１つの周辺装置それぞれにおける、前記固定部を備える駆動対象部の起動動作が初回起動動作である場合に、異常が発生したか否かを判断する
ことを特徴とする請求項１乃至５のいずれか１項に記載の装置。
【請求項７】
前記システムは、シート供給部を備える画像形成装置、読取部を搬送する搬送部を備える画像読取装置、及び前記画像形成装置が出力する記録媒体を後処理し、その後処理後の記録媒体を積載する積載部を備える後処理装置を含み、
前記判断手段は、前記シート供給部、前記搬送部、前記積載部それぞれの前記固定部の少なくとも１つについて、前記固定部を備える駆動対象部の起動動作が初回起動動作である場合に、異常が発生したか否かを判断する
ことを特徴とする請求項６に記載の装置。
【請求項８】
前記判断手段は、前記駆動対象部の起動動作が所定時間経過しても動作完了しない場合に、前記異常が前記固定部を備える駆動対象部に起因する異常であると判断する
ことを特徴とする請求項１乃至７のいずれか１項に記載の装置。
【請求項９】
装置内の駆動対象部を固定するための固定部を備える装置の制御方法であって、
前記駆動対象部の起動動作が初回起動動作である場合に、異常が発生したか否かを判断する判断工程と、
前記判断工程の判断の結果、前記異常が前記固定部を備える駆動対象部に起因する異常であると判断した場合、その旨に関する異常報知情報を出力する出力工程と
を備えることを特徴とする装置の制御方法。
【請求項１０】
装置内の駆動対象部を固定するための固定部を備える装置をコンピュータに機能させるためのプログラムであって、
前記コンピュータを、
前記駆動対象部の起動動作が初回起動動作である場合に、異常が発生したか否かを判断する判断手段と、
前記判断手段の判断の結果、前記異常が前記固定部を備える駆動対象部に起因する異常であると判断した場合、その旨に関する異常報知情報を出力する出力手段と
して機能させることを特徴とするプログラム。
【発明の詳細な説明】
【技術分野】
【０００１】
本発明は、装置内の駆動対象部を固定するための固定部を備える装置及びその制御方法、プログラムに関するものである。
【背景技術】
【０００２】
近年、原稿を読み取る画像読取装置と、その読取画像を画像出力する画像形成装置、画像出力された記録媒体であるシートを受け入れ、後処理を行うシート処理装置を搭載した、画像形成システムが実用化されている。この画像形成システムは、工場から出荷された後、使用環境に応じて初期設置作業を行うようになっている。
【０００３】
初期設置作業といっても多々あるが、そのうちの一つの工程として、運搬時の衝撃に備えて設けられている固定具の取り外し作業がある。
【０００４】
イメージスキャナ等、あるいはマルチファンクションプリンタ（ＭＦＰ）、複写機、ファクシミリ等の画像形成装置に備えられている画像読取装置には、光源等の画像読取部を備える。また、この画像読取部には、光学ユニットの構成部の一つであり、その光学ユニットを走査するためのキャリッジが搭載されている。このキャリッジは、画像読取装置の設置前には、運搬時の衝撃に備えて固定ビスによって固定されており、初期設置時に固定ビスを外すことになっている。
【０００５】
また、シート処理装置には、シート処理後に、シートを排出し、シートを集積する積載部である積載トレイが備えられている。積載トレイにも、運搬時の衝撃に備えて、積載トレイを固定するための固定具が取り付けられており、作業者が設置時にこの固定具を外すこととなる。
【０００６】
そして、初期設置作業が完了でき次第、画像形成システムを起動させ、使用者が使用することとなる。初期設置作業は、サービスマンが行う場合もあるし、ユーザが行う場合もあり、設置作業者によっては、不慣れな作業者が行う場合もあるし、慣れている作業者が行う場合もある。
【０００７】
固定具の取り外しの際には、手引となる設置手順書を参照したり、固定具そのものに印をつける等の案内表示を行い、作業者が固定具を円滑に外すことができるように工夫が凝らされている。
【発明の概要】
【発明が解決しようとする課題】
【０００８】
しかしながら、全ての作業者が設置作業手順を熟知しているわけではないし、マニュアルを見て作業するとは限らない。
【０００９】
また、固定具の設置個所によっては、ユーザの死角になる場所に設けられていることもあり、作業者が固定具を外し忘れた状態で、画像形成システムを動作させてしまう可能性がある。
【００１０】
固定具が設けられている対象部がその固定具で固定されたまま、画像形成システムを動作させると、イニシャル時や初回のジョブでその対象部を動作させた際に、異常としてユーザに報知され、使用者は何故異常が発生したかが分からなくなる場合が発生する可能性がある。
【００１１】
対象部が固定具で固定されていることにより発生した異常でも、ユーザには、あくまでもエラーやジャム等の形で異常が発生したことは通知されるが、それ以上の情報は報知されていないため、使用者は何故異常が発生したのか分からない。
【００１２】
作業者がサービスマンであれば、サービスマンの設置時間も延びてしまうし、作業者がユーザであれば、無駄なサービスコールが増えてしまう。
【００１３】
また、市場にて、例えば、シート処理装置の積載トレイのエラーが市場で頻発している場合も見受けられるが、原因が判明していない事例も多い。
【００１４】
市場では、異常が多く発生しているが、固定部材が要因で異常が発生している可能性があるため、原因を切り分けるためにも当該要因での異常を撲滅したい。
【００１５】
このことは、画像形成システムを構成する、シート処理装置だけではなく、画像形成装置、画像読取装置においても同様に言える。
【００１６】
本発明は上記の課題を解決するためになされたものであり、固定部を備える駆動対象部に起因する異常を的確に報知することができる装置及びその制御方法、プログラムを提供することを目的とする。
【課題を解決するための手段】
【００１７】
上記の目的を達成するための本発明による装置は以下の構成を備える。即ち、
装置内の駆動対象部を固定するための固定部を備える装置であって、
前記駆動対象部の起動動作が初回起動動作である場合に、異常が発生したか否かを判断する判断手段と、
前記判断手段の判断の結果、前記異常が前記固定部を備える駆動対象部に起因する異常であると判断した場合、その旨に関する異常報知情報を出力する出力手段と
を備える。
【発明の効果】
【００１８】
本発明によれば、固定部を備える駆動対象部に起因する異常を的確に報知することができる。
【図面の簡単な説明】
【００１９】
【図１】画像形成システムの全体構成図である。
【図２】制御部の詳細構成を示すブロック図である。
【図３】画像読取装置における光学系の概略を示す図である。
【図４】積載トレイの固定具の外し忘れの可能性があることを報知する処理を示すフローチャートである。
【図５】異常判断処理の詳細を示すフローチャートである。
【図６】キャリッジの固定具の外し忘れの可能性があることを報知する処理を示すフローチャートである。
【図７】異常判断処理の詳細を示すフローチャートである。
【図８】シート供給部の部分拡大図である。
【発明を実施するための形態】
【００２０】
以下では、シート処理装置と、画像形成装置と、画像読取装置とを備える画像形成システムについて説明する。
【００２１】
ここで、シート処理装置は、記録媒体であるシートに画像を形成する画像形成装置から受け渡されたシートに対して後処理を行い、後処理後のシートを積載するための積載部（積載トレイ）を備えている。画像読取装置は、イメージスキャナ、あるいは画像形成装置（マルチファンクションプリンタ（ＭＦＰ）、複写機、ファクシミリ等）に備えられ、光学ユニットを備える画像読取部、その光学ユニットを所定方向に走査するためのキャリッジ等の構成部品を備える。画像形成装置は、シートを装置内に供給するためのシート供給部を備え、また、シート処理装置に接続されている。
【００２２】
但し、以下の実施形態に記載されている構成部品、形状、それらの相対配置等は、本発明が適用される装置の構成や各種条件により適宜変更されるべきものであり、特に、特定的な記載がない限りは、本発明の範囲をそれらのみに限定する趣旨のものではない。
【００２３】
図１は、画像読取装置Ａと、表示部を搭載する画像形成装置Ｂと、画像形成装置Ｂの側方に接続されたシート処理装置Ｃとからなる画像形成システム１５０を示している。画像形成システム１５０は、少なくとも一つの不揮発性記憶媒体１００と制御部１１０を備え、図１では、それぞれが画像形成装置Ｂに備わる構成としているが、これに限定されない。画像形成システム１５０の構成する各装置がアクセス可能な構成であれば、画像読取装置Ａやシート処理装置Ｃに、不揮発性記憶媒体１００及び制御部１１０が実装されていても良い。
【００２４】
図２は画像形成システム１５０の制御部１１０のブロック図である。画像形成システム１５０における制御部１１０は、ＲＯＭ１５２及びＲＡＭ１５３を内蔵するＣＰＵ回路部１５１を備える。ＣＰＵ回路部１５１には、表示部１５６、不揮発性メモリ１５５、画像形成装置制御部１５７、シート処理装置制御部１５９、画像読取装置制御部１５８、異常判断部１５４が接続されている。ここで、不揮発性メモリ１５５は、図１の不揮発性記憶媒体１００に対応する。また、ＲＯＭ１５２には、後述するフローチャート等で示される本実施形態で実行される各種処理に対応するプログラムが格納されており、ＣＰＵ回路部１５１がＲＡＭ１５３上でこのプログラムを実行することで、各種処理が実現される。
【００２５】
画像形成装置制御部１５７は、画像形成装置Ｂの動作を制御する。シート処理装置制御部１５９は、シート処理装置Ｃを制御する。画像読取装置制御部１５８は、画像読取装置Ａを制御する。ＣＰＵ回路部１５１は、各制御部にて駆動される動作対象部の動作が初回起動時であるか否かを、異常判断部１５４によって判断する。また、不揮発性メモリ１５５は、異常判断部１５４による判断の際に使用する判断フラグを記憶している。
【００２６】
画像読取装置Ａ、画像形成装置Ｂ、及びシート処理装置Ｃの各装置は、画像形成システム１５０のＣＰＵ回路部１５１による指令に基づいて、各制御部により、動作が制御される。ＣＰＵ回路部１５１の制御によって、異常判断部１５４は、動作対象部の動作時に異常が発生した場合に固定部材の解除忘れによって検出される異常であるか否かを判断する。
【００２７】
ここで、画像形成装置Ｂは、画像形成部３とシート供給部４とを備え、シート供給部４からシートを搬送部（搬送ローラ５及び搬送路７）を介して画像形成部３に搬送し、画像形成部３でシートに画像を形成した後、シート処理装置Ｃに受け渡すように構成されている。尚、シート供給部４は、複数のカセットで構成され、各カセットに収納された複数サイズのシートＰの内、指定されたシートＰを１枚ずつ分離して画像形成部３に給送する。また、画像形成部３は、例えば、感光体ドラムと、その周囲に配置された印刷ヘッド（レーザ発光器）と、現像器と、転写チャージャと、定着器とを備えている。
【００２８】
画像形成装置Ｂの上部に装着された原稿供給部１は、積載された読取用のシート束からシートを１枚ずつ分離して読取部２へ自動給送する。読取部２は、自動給送されたシートから線画像（走査線画像）を連続的に抽出して電気信号に変換する、いわゆる、流し読みを行う。
【００２９】
画像形成装置Ｂは、例えば、シート処理装置Ｃと接続されていて、シート処理装置Ｃは、画像形成装置Ａで画像形成されたシートを部数毎にソート処理等の後処理を実行して、積載トレイ１８（上段積載トレイ１８ａ、あるいは下段積載トレイ１８ｂ）へ排出する。これらの上段積載トレイ１８ａと下段積載トレイ１８ｂの下面部にはそれぞれ、例えば、初回設置（画像形成システム１５０を初めて設置する時点）前に運搬時の衝撃に備えて固定具（不図示）が設けられており、初回設置作業時に外すこととなっている。
【００３０】
初回設置時に、シート処理装置Ｃの上段積載トレイ１８ａと下段積載トレイ１８ｂの固定具を外さずに画像形成システムを起動させ、動作させると、例えば、システム起動時のイニシャルで、積載トレイ異常を検出してしまい、作業者にエラーという形で異常を報知することとなる。
【００３１】
図３は、画像読取装置Ｃの読取部２が備える光学系の概略を示す図である。
【００３２】
読取部２において、イメージセンサユニット１０８は、光源（ＬＥＤと樹脂製導光体等からなる）からシートの画像情報面に光を照射して、画像情報面で反射した反射光をセルフォックレンズ（登録商標）で一次元センサ素子アレイに結像してシートの画像情報を読み取る。
【００３３】
イメージセンサユニット１０８は、タイミングベルト１０３ａ、駆動モータ（不図示）によって回転する駆動プーリ１０３ｂ、従動プーリ１０３ｆより、ガイド軸１０３ｃの案内によって、所定方向（例えば、図に示す矢印（左右）方向（例えば、シートの搬送方向に対応））に移動する。また、イメージセンサユニット１０８は、キャリッジ１０３ｄによってガイド軸１０３ｃに支持されるとともに、スプリングによって上方へ付勢されている。タイミングベルト１０３ａとキャリッジ１０３ｄは、連結部材１０３ｇによって連結されている。そして、イメージセンサユニット１０８で画像を読み取る際には、キャリッジ１０３ｄを移動させることでシートを読み取ることになる。
【００３４】
ここで、例えば、キャリッジ１０３ｄには、運搬時の衝撃に備えてイメージセンサユニット１０８の側面に固定ビス（不図示）による固定具が備え付けられており、初回設置時に固定ビスを外すことになっている。
【００３５】
初回設置時に、キャリッジ１０３ｄの固定具である固定ビス（不図示）を外さずに画像形成システムを起動させ、動作させると、例えば、システム起動時のイニシャルで、キャリッジ１０３ｄのホームポジション（ＨＰ）異常を検出してしまい、作業者にエラーという形で異常を報知することとなる。
【００３６】
次に、積載トレイ１８の固定具の外し忘れに起因する異常を検知する場合の処理について、図４を用いて説明する。
【００３７】
図４は積載トレイの固定具の外し忘れの可能性があることを報知する処理を示すフローチャートである。
【００３８】
電源起動後、例えば、イニシャルやジョブ投入時に、Ｓ００１にて、ＣＰＵ回路部１５１は、積載トレイ１８の動作を開始する。そのタイミングで、Ｓ００２にて、ＣＰＵ回路部１５１は、積載トレイ１８の動作が出荷後の初回起動動作であるか否かを判断する。この判断は、ＣＰＵ回路部１５１が異常判断部１５４を制御して、不揮発性メモリ１５５に記憶されている、積載トレイ１８用の判断フラグが示す値を参照することにより、初回起動動作であるか否かを判断する。特に、判断フラグが示す値が「ＯＮ」である場合、初回起動動作であると判断し、判断フラグが示す値が「ＯＦＦ」である場合、初回起動動作でないと判断する。尚、出荷時には、判断フラグには、初回起動動作であることを示す「ＯＮ」が設定されている。
【００３９】
その後、判断の結果、積載トレイ１８の動作が出荷後の初回起動動作である場合（Ｓ００２でＹＥＳ）、Ｓ００３にて、ＣＰＵ回路部１５１は、異常が発生したか否かを判断する。異常を検知しない場合（Ｓ００３でＮＯ）、Ｓ０１０にて、ＣＰＵ回路部１５１は、不揮発性メモリ１５５に記憶されている判断フラグの値をクリアする（ＯＦＦにする）。
【００４０】
一方、異常を検知した場合（Ｓ００３でＹＥＳ）、Ｓ００４にて、異常判断部１５４は、異常を判断する異常判断処理を実行する。この異常判断処理は、図５のサブルーチンとして実行する。
【００４１】
ここで、異常判断処理の詳細について、図５を用いて説明する。
【００４２】
異常判断処理では、検知した異常の内容を判断する。具体的には、まず、Ｓ０１３にて、異常判断部１５４は、タイムアウト異常であるか否かを判断する。タイムアウト異常である場合（Ｓ０１３でＹＥＳ）、Ｓ０１６にて、異常判断部１５４は、検知した異常が、積載トレイ１８に備え付けられた固定具の外し忘れによって発生する異常であると判断する。
【００４３】
一方、タイムアウト異常でないと判断する場合（Ｓ０１３でＮＯ）、Ｓ０１４にて、異常判断部１５４は、速度異常であるか否かを判断する。速度異常である場合（Ｓ０１４でＹＥＳ）、Ｓ０１６にて、異常判断部１５４は、検知した異常が、積載トレイ１８に備え付けられた固定具の外し忘れによって発生する異常であると判断する。
【００４４】
一方、速度異常でないと判断する場合（Ｓ０１４でＮＯ）、Ｓ０１５にて、異常判断部１５４は、検知した異常が、安全スイッチ検知による異常と判断する。更に、Ｓ０１７にて、異常判断部１５４は、この安全スイッチ検知による異常を、積載トレイ１８に備え付けられた固定具の外し忘れによって発生しない異常であると判断する。
【００４５】
尚、図５における積載トレイ１８に関して発生する異常において、タイムアウト異常は、積載トレイ動作開始後、所定時間経過しても動作完了できない場合に検知する異常である。また、速度異常は、積載トレイ動作時に所定時間当たりの積載トレイ移動速度に異常がみられる場合に検知する異常である。また、安全スイッチ検知による異常は、積載トレイ動作中に、積載トレイの下面に設けられた安全スイッチ（不図示）が動作した場合に検知する異常である。そして、本実施形態では、タイムアウト異常と速度異常を固定具の外し忘れによって検知する異常と判断しているが、これに限定されない。例えば、固定具の外し忘れに起因して発生する異常を、適宜、固定具の外し忘れによって検知する異常と判断しても良い。
【００４６】
図４に戻り、Ｓ００５にて、ＣＰＵ回路部１５１は、異常判断処理の処理結果に基づいて、検知した異常が固定具の外し忘れによって発生する異常であるか否かを判断する。検知した異常が固定具の外し忘れによって発生する異常である場合（Ｓ００５でＹＥＳ）、Ｓ００６にて、ＣＰＵ回路部１５１は、固定具の外し忘れの可能性があることを示すメッセージを表示部１５６に表示する。これにより、固定具の外し忘れの可能性があることを作業者に報知する。そして、Ｓ００７にて、ＣＰＵ回路部１５１は、作業者が表示部１５６に表示される手順に沿って行う作業に従って、画像形成システムを復帰する。このとき、表示部１５６に表示するメッセージは、作業者に積載トレイ１８の固定具の存在を気付かせるものであれば何でもよいものとする。また、このとき、画像形成システムは、固定具の外し忘れを解消させるための時間を確保するために、例えば、ジャム状態にする。そして、作業者が固定具を取り外した後、作業者が画像形成システムの筐体に設けられているドアのオープンクローズを行って、ジャム解除させる場合の動作と同じ動作が行われたことをトリガにスタンバイ状態に復帰するものとする。
【００４７】
一方、固定具の外し忘れによって発生しない異常である場合（Ｓ００５でＮＯ）、Ｓ００８にて、ＣＰＵ回路部１５１は、不揮発性メモリ１５５に記憶されている判断フラグの値をクリアする（ＯＦＦにする）。そして、Ｓ００９にて、ＣＰＵ回路部１５１は、検知した異常をエラーとして表示部１５６に表示する。これにより、異常が発生したことを作業者へ報知する。
【００４８】
一方、積載トレイ１８の動作開始後、積載トレイ１８の動作が初回起動動作でない場合（Ｓ００２でＮＯ）、Ｓ０１１にて、ＣＰＵ回路部１５１は、異常が発生したか否かを判断する。異常を検知しない場合（Ｓ０１１でＮＯ）、処理を終了する。一方、異常が発生した場合（Ｓ０１１でＹＥＳ）、Ｓ００９にて、ＣＰＵ回路部１５１は、検知した異常をエラーとして表示部１５６に表示する。尚、このＳ０１１及びＳ０１２の処理は、積載トレイ１８が正常に起動した後に発生し得る異常を検知する通常のシーケンスである。
【００４９】
次に、キャリッジの固定具の外し忘れに起因する異常を検知する場合の処理について、図６を用いて説明する。
【００５０】
図６はキャリッジの固定具の外し忘れの可能性があることを報知する処理を示すフローチャートである。
【００５１】
電源起動後、例えば、イニシャル時に、Ｓ０１８にて、ＣＰＵ回路部１５１は、キャリッジ１０３ｄのＨＰ抜け戻し動作を開始する。Ｓ０１９にて、ＣＰＵ回路部１５１は、そのタイミングで、キャリッジ１０３ｄの動作が出荷後の初回起動動作であるか否かを判断する。この判断は、ＣＰＵ回路部１５１が異常判断部１５４を制御して、不揮発性メモリ１５５に記憶されている、キャリッジ１０３ｄ用の判断フラグが示す値を参照することにより、初回起動動作であるか否かを判断する。特に、判断フラグが示す値が「ＯＮ」である場合、初回起動動作であると判断し、判断フラグが示す値が「ＯＦＦ」である場合、初回起動動作でないと判断する。尚、出荷時には、判断フラグには、初回起動動作であることを示す「ＯＮ」が設定されている。
【００５２】
その後、判断の結果、キャリッジ１０３ｄの動作が出荷後の初回起動動作である場合（Ｓ０１９でＹＥＳ）、Ｓ０２１にて、ＣＰＵ回路部１５１は、異常が発生したか否かを判断する。異常を検知しない場合（Ｓ０２１でＮＯ）、Ｓ０２７にて、ＣＰＵ回路部１５１は、不揮発性メモリ１５５に記憶されている判断フラグの値をクリアする（ＯＦＦにする）。
【００５３】
一方、異常を検知した場合（Ｓ０２０でＹＥＳ）、Ｓ０２１にて、異常判断部１５４は、異常を判断する異常判断処理を実行する。この異常判断処理は、図７のサブルーチンとして実行する。
【００５４】
ここで、異常判断処理の詳細について、図７を用いて説明する。
【００５５】
異常判断処理では、検知した異常の内容を判断する。具体的には、Ｓ０３０にて、異常判断部１５４は、キャリッジ１０３ｄのホームポジション（ＨＰ）からの移動が正常になされていないことを示すＨＰ抜け異常であるか否かを判断する。ＨＰ抜け異常である場合（Ｓ０３０でＹＥＳ）、Ｓ０３１にて、異常判断部１５４は、キャリッジ１０３ｄを固定する固定ビスの外し忘れによって発生する異常であると判断する。
【００５６】
一方、ＨＰ抜け異常でない場合（Ｓ０３０でＮＯ）、Ｓ０３２にて、異常判断部１５４は、キャリッジ１０３ｄのＨＰからの移動が正常に行われているが、キャリッジ１０３ｄが再度ＨＰへ戻ってこないことを示すＨＰ戻し異常であると判断する。更に、Ｓ０３３にて、異常判断部１５４は、このＨＰ戻し異常を、キャリッジ１０３ｄを固定する固定ビスの外し忘れによって発生しない異常であると判断する。
【００５７】
尚、図７におけるキャリッジ１０３ｄに関して発生する異常において、ＨＰ抜け異常は、キャリッジ１０３ｄのＨＰ抜け動作開始後、所定時間経過しても、キャリッジ１０３ｄのＨＰ抜け（ＨＰからの移動）が検知できない場合に検知する異常である。また、ＨＰ戻し異常は、キャリッジ１０３ｄのＨＰ戻し動作開始後、所定時間経過しても、キャリッジ１０３ｄのＨＰ戻し（ＨＰへの復帰）が検知できない場合に検知する異常である。本実施形態では、ＨＰ抜け異常を、固定ビスの外し忘れによって検知する異常と判断しているが、これに限定されない。例えば、固定ビスの外し忘れに起因して発生する異常を、適宜、固定ビスの外し忘れによって検知する異常と判断しても良い。
【００５８】
図６に戻り、Ｓ０２２にて、ＣＰＵ回路部１５１は、異常判断処理の処理結果に基づいて、検知した異常が固定ビスの外し忘れによって発生する異常であるか否かを判断する。検知した異常が固定ビスの外し忘れによって発生する異常である場合（Ｓ０２２でＹＥＳ）、Ｓ０２３にて、ＣＰＵ回路部１５１は、固定ビスの外し忘れの可能性があることを示すメッセージを表示部１５６に表示する。これにより、固定ビスの外し忘れの可能性があることを作業者に報知する。そして、Ｓ０２４にて、ＣＰＵ回路部１５１は、作業者が表示部１５６に表示される手順に沿って行う作業に従って、画像形成システムを復帰する。このとき、表示部１５６に表示するメッセージは、作業者にキャリッジ１０３ｄの固定ビスの存在を気付かせるものであれば何でもよいものとする。また、このとき、画像形成システムは、固定具の外し忘れを解消させるための時間を確保するために、例えば、ジャム状態にする。そして、作業者が固定ビスを取り外した後、作業者が画像形成システムの筐体に設けられているドアのオープンクローズを行って、ジャム解除させる場合の動作と同じ動作が行われたことをトリガにスタンバイ状態に復帰するものとする。
【００５９】
一方、固定ビスの外し忘れによって発生しない異常である場合（Ｓ０２２でＮＯ）、Ｓ０２５にて、ＣＰＵ回路部１５１は、不揮発性メモリ１５５に記憶されている判断フラグの値をクリアする（ＯＦＦにする）。そして、Ｓ０２６にて、ＣＰＵ回路部１５１は、検知した異常をエラーとして表示部１５６に表示する。これにより、異常が発生したことを作業者へ報知する。
【００６０】
一方、キャリッジ１０３ｄの動作開始後、キャリッジ１０３ｄの動作が初回起動動作でない場合（Ｓ０１９でＮＯ）、Ｓ０２８にて、ＣＰＵ回路部１５１は、異常が発生したか否かを判断する。異常を検知しない場合（Ｓ０２８でＮＯ）、処理を終了する。一方、異常が発生した場合（Ｓ０２８でＹＥＳ）、Ｓ０２９にて、ＣＰＵ回路部１５１は、検知した異常をエラーとして表示部１５６に表示する。尚、このＳ０２８及びＳ０２９の処理は、キャリッジ１０３ｄが正常に起動した後に発生し得る異常を検知する通常のシーケンスである。
【００６１】
図４及び図６では、積載トレイ１８、キャリッジ１０３ｄに設けられる固定具の外し忘れに起因する異常を検知する処理について説明しているが、これに限定されない。
【００６２】
例えば、画像形成装置Ｂのシート供給部４に具備される固定具の外し忘れに起因する異常を検知することも可能である。図８は、シート供給部４の部分拡大図であり、シート供給部４では、リフター板２００の上部にシートをセットし、供給動作時には、シートはリフター板２００によって持ち上げられる。初回設置前には、運搬時の衝撃に備えて、リフター板２００の上部には、固定具としてスポンジが敷き詰められる。しかしながら、画像形成装置Ｂの設置後、このスポンジを取り除かない状態で起動してしまうと、リフター板２００は上昇しようとするが、スポンジが障害になり上昇しきれず、正常な供給動作を行うことができない。そこで、このような場合も、シート供給部４に具備される固定具の外し忘れに起因する異常として検知することが可能である。
【００６３】
この場合も、シート処理装置Ｃの積載トレイ１８、画像読取装置Ａのキャリッジ１０３ｄでの例のように、初回起動時に異常を検出した場合に、固定具であるスポンジの外し忘れを表示部１５６へ通知し、作業者へ報知することで注意を促すことができる。
【００６４】
以上説明したように、本実施形態によれば、作業者が固定具を外し忘れた状態で画像形成システムを動作させて異常を検知したとしても、固定具の外し忘れによって発生する異常であれば、即座に作業者に報知する。これにより、作業者はより確実に固定具を解除することが可能となる。
【００６５】
尚、本実施形態では、固定具の外し忘れによって発生する異常を示すメッセージを表示部１５６に表示することによって、その旨を報知する構成としているが、これに限定されない。例えば、音声案内によって、固定具の外し忘れによって発生する異常を報知しても良いし、固定具の外し忘れによって発生する異常を示す異常報知情報を、シート上に形成して出力しても良い。あるいは、メールやファクシミリ等の通信機能を利用して、所定の宛先（例えば、管理者のホスト端末）へ固定具の外し忘れによって発生する異常を示す異常報知情報を出力しても良い。
【００６６】
また、画像形成システムの移設作業が多段階で行われるケースも想定されるが、例えば、移設前には必ず対象部の判断フラグを不揮発性メモリに設定する処理を追加することで対応可能である。この処理は、画像形成システムに備わる操作部を介して実行しても良いし、画像形成システムにネットワークを介して接続されるホスト装置からの指示によって行っても良い。また、判断フラグをＯＮ／ＯＦＦで、駆動対象部の初回起動動作であるか否かを判断しているが、これに限定されない。例えば、判断フラグでなく、初回起動動作であることを示す動作情報を管理しておき、異常が検知されない場合、あるいは検知した異常が駆動対象部の初回起動動作に起因する異常でない場合に、その動作情報をクリアするようにしても良い。
【００６７】
また、本実施形態は、画像形成システムにのみ適用されるわけでもない。例えば、駆動対象部に運搬時に取り付けられる固定部が搭載されているシステム（１つあるいは複数の装置（あるいは周辺装置）からなるシステム）に対しても必要条件を満たせば適用できるものとする。この場合、異常判断対象となる駆動対象部に対する判断フラグを必要数、不揮発性メモリ１５５に記憶することで、各駆動対象部に対する固定具の外し忘れを検知する。
【００６８】
尚、本発明は、以下の処理を実行することによっても実現される。即ち、上述した実施形態の機能を実現するソフトウェア（プログラム）を、ネットワーク又は各種記憶媒体を介してシステムまたは装置に供給し、そのシステムまたは装置のコンピュータ（またはＣＰＵやＭＰＵ等）がプログラムを読み出して実行する処理である。
【図１】
2015147323.tif 000003
【図２】
2015147323.tif 000004
【図３】
2015147323.tif 000005
【図４】
2015147323.tif 000006
【図５】
2015147323.tif 000007
【図６】
2015147323.tif 000008
【図７】
2015147323.tif 000009
【図８】
2015147323.tif 000010